(57)【要約】【課題】圧電素子を有する支持プレートが片持ち梁状に設けられた構成の発電装置に関し、薄型のものを提供することを目的とするものである。【解決手段】この目的を達成するために、本発明の発電装置は、圧電素子６３を有する支持プレート６１を片持ち梁状に備えさせると共に、その自由端側に回動動作可能な作動体５０を配し、支持プレート６１を、回動する作動体５０の係合用突起５３で撓ませていく構成として薄型化を図ったものとした。【選択図】図１
2016116246.tif 000002
【特許請求の範囲】
【請求項１】
圧電素子を有する支持プレートを片持ち梁状に備えた発電装置において、回動可能に配された作動体の回動に応じて上記支持プレートが撓められる構成としたことを特徴とする発電装置。
【請求項２】
作動体は、回動に応じて支持プレートを所定量撓めていくと共に、上記支持プレートから水平方向側に離れていく請求項１に記載の発電装置。
【請求項３】
支持プレートの自由端側に重りを装着した請求項１に記載の発電装置。
【発明の詳細な説明】
【技術分野】
【０００１】
本発明は、各種電子機器に搭載可能な発電装置に関するものである。
【背景技術】
【０００２】
近年、各種電子機器に搭載できる小型構成の発電装置が各種提案されている。
【０００３】
例えば、圧電素子を用いて構成した発電装置としては、図１８に示すものがあげられる。
【０００４】
図１８に示したように、従来の発電装置は、表面に圧電素子３を備えたばね性を有する金属板からなる支持プレート１の一端が筐体１０に固定され、他端側が自由端となる所謂片持ちの梁状に構成されて配されている。
【０００５】
そして、自由端側の下方位置には、上面に永久磁石５が固着された可動片７が配されている。この可動片７は、操作部材９を介して押し下げられると下方側に移動可能に構成されている。そして、通常状態では、支持プレート１は略水平状態を保っており、その状態で永久磁石５が支持プレート１の自由端の下面位置に吸着し、その状態で可動片７も停止している。
【０００６】
以上のように従来の発電装置は構成されており、操作部材９で可動片７を押し下げていくと、支持プレート１の自由端側が永久磁石５と吸着した状態のまま下がっていき、それに応じて支持プレート１も下方に撓んでいく。
【０００７】
そして、支持プレート１の撓みによる上方への復元力が、支持プレート１と永久磁石５との間の吸着力を超えると、支持プレート１が永久磁石５から離れて支持プレート１が復帰し、その後振動する。これらの初期撓みや振動中の撓みなどによって圧電素子３が伸縮され、それによって所定の電力が得られる構成のものであった。
【０００８】
なお、この出願の発明に関連する先行技術文献情報としては、例えば、特許文献１が知られている。
【先行技術文献】
【特許文献】
【０００９】
【特許文献１】特開２００６−１５８１１３号公報
【発明の概要】
【発明が解決しようとする課題】
【００１０】
従来の発電装置は、永久磁石５の吸着力を用いて支持プレート１を下方に撓めていく構成であったため、支持プレート１の下方側への撓み量に加えて、少なくとも永久磁石５を固定した可動片７の下方への移動領域を確保する必要があった。
【００１１】
本発明は、このような従来の課題を解決するものであり、圧電素子を有する支持プレートが片持ち梁状に設けられた構成のもので、従来品よりも薄型構成の発電装置を提供することを目的とする。
【課題を解決するための手段】
【００１２】
上記目的を達成するために本発明は、圧電素子を有する支持プレートを片持ち梁状に備えた発電装置において、回動可能に配された作動体の回動に応じて上記支持プレートが撓められる構成としたことを特徴とする発電装置としたものである。
【００１３】
これであれば、作動体の回動に応じて支持プレートが撓められる構成であるため、従来品のような可動片等を必要とせず、それらのための領域を支持プレートの下方位置に確保しなくても済み、従来品よりも薄型化された構成のものに実現できるという作用を有する。
【発明の効果】
【００１４】
本発明によれば、従来品よりも薄型化が図られた構成の発電装置を提供することができるという有利な効果が得られる。
【図面の簡単な説明】
【００１５】
【図１】本発明の実施の形態による発電装置において押しボタンを装着した状態での断面図
【図２】同押しボタンを装着していない状態での外観斜視図
【図３】図１に対応する分解斜視図
【図４】図１に対応する下方から見た分解斜視図
【図５】駆動用部材のガイド部が見える位置で断面をとった図
【図６】動作状態を示す断面図
【図７】図６の駆動用部材のガイド部が見える位置で断面をとった図
【図８】動作状態を示す断面図
【図９】図８の駆動用部材のガイド部が見える位置で断面をとった図
【図１０】動作状態中での係合用突起の先端位置の軌跡を示す図
【図１１】動作状態を示す断面図
【図１２】図１１の駆動用部材のガイド部が見える位置で断面をとった図
【図１３】動作状態を示す断面図
【図１４】図１３の駆動用部材のガイド部が見える位置で断面をとった図
【図１５】変形事例で用いる駆動用部材の単体の外観斜視図
【図１６】変形事例による発電装置において押しボタンを装着した状態での断面図
【図１７】図１６の駆動用部材のガイド部が見える位置で断面をとった図
【図１８】従来の発電装置の模式図
【発明を実施するための形態】
【００１６】
以下、本発明の実施の形態について、図１〜図１７を用いて説明する。
【００１７】
（実施の形態）
図１は本発明の実施の形態による発電装置において押しボタンを装着した状態での断面図、図２は同押しボタンを装着していない状態での外観斜視図、図３は図１に対応する分解斜視図、図４は図１に対応する下方から見た分解斜視図、図５は駆動用部材のガイド部が見える位置で断面をとった図である。
【００１８】
同図において、２０は樹脂製の下ケース、３０は樹脂製の上ケースであり、両者が結合されて筐体が構成されている。筐体内には、直方体状の所定空間が形成されており、上記空間の左方位置が素子部の配設領域となり、右方位置が上記素子部を作動させるための駆動用部材４０や作動体５０などの配設領域となっている。
【００１９】
まず素子部から説明すると、当該構成品の素子部としては、従来同様にばね性を有する金属板からなる支持プレート６１の表面に矩形状の圧電素子６３（図３のみに示す）を有するものを用いている。
【００２０】
この支持プレート６１は、左方端部が固定用部材６５、６６で上下から挟まれ、さらに各固定用部材６５、６６は下ケース２０の内底面と上ケース３０の天面間に挟まれて筐体内で位置決め保持されている。なお、それらそれぞれの間を固着させたものとすると好ましいが、支持プレート６１の左方部分の位置決めができていれば圧接状態などであってもよい。
【００２１】
以上に説明したように支持プレート６１は、左方位置が固定端となり、右方端部が自由端となる所謂片持ち梁状のものに配されている。さらに、この支持プレート６１には、右方端部が右側に突出するようにして、右方端部よりも少し内側位置に重り６７が装着されている。この重り６７は、支持プレート６１の振動を増幅させるためのものであり、材質や形状は特に限定されないが、上面側と下面側とに同じ部材を用いて支持プレート６１を挟み込む構成とすると、装着性などに優れると共に、支持プレート６１の振動時に、その振動が上下方向それぞれ均等に増幅されるため好ましい。
【００２２】
下ケース２０には、円筒状などで上方に突出するバネ用突起２２が設けられている。その配置位置は、筐体内での右方側の位置に設定されており、このバネ用突起２２には圧縮コイルバネ２５が挿通されて配されている。
【００２３】
そして、４０は、下方が開口した箱状の駆動用部材であり、圧縮コイルバネ２５がやや撓んだ状態になるように、圧縮コイルバネ２５の上方に配されている。駆動用部材４０は、下ケース２０のバネ用突起２２に対応する位置に、円柱状などで下方に突出するバネ用突起４１を有し、圧縮コイルバネ２５の上部はバネ用突起４１に挿通されている。ここに、当該構成品では、バネ用突起２２内にバネ用突起４１の下端を挿入させて所謂上下方向へのガイド手段になる構成のものとしている。
【００２４】
駆動用部材４０は、圧縮コイルバネ２５の付勢力で上方に付勢されており、通常状態では、駆動用部材４０の上部が上ケース３０に設けられた孔部３２から上方に突出し、駆動用部材４０の前後および右側の外壁に設けられた外方突出部４２の各上面が上ケース３０の対応する天面位置に当接して、駆動用部材４０は上方への位置規制がなされた状態で停止している。
【００２５】
そして、この駆動用部材４０には、下方中央位置付近に作動体５０用の保持部が設けられている。さらに、上記保持部から左方側の領域にかけてを素子部との係合箇所とするために左側の外壁を設けていない形状になっている。
【００２６】
駆動用部材４０の保持部としては、下方に突出形成され、前後方向に沿って並んで位置する対となった同一高さの第一突起４４と、その第一突起４４どうしの間に同じく下方に支柱が突出形成され、その支柱の下端位置で左方に向けて延設形成されている延出部４６を有する第二突起４７とで構成されている。延出部４６は、上面が平坦面で構成されている。
【００２７】
さらに、駆動用部材４０の前後の外壁には、各外壁を貫通して設けられた溝状のガイド部４８が設けられている。ガイド部４８の形状は、側面視で、外壁の下端位置から上方に直線状に伸びる第一上下溝と、その上端から斜め右方向に傾斜して伸びる直線状の傾斜溝と、傾斜溝の上端から上方に向けて直線状に伸びる第二上下溝によって構成されている。
【００２８】
そして、下ケース２０は前後位置に外壁を有し、それらの上端位置には上方開口形状の受け部２４が設けられている。受け部２４は、底面位置が平坦面で形成されている。
【００２９】
作動体５０は、直線的な棒状である。その両端は、円柱状などの断面円形で同軸の軸部５１に構成されている。軸部５１間の位置には、外方に向けて突出する係合用突起５３が一体に設けられている。係合用突起５３は、軸部５１の中心軸線を繋ぐ方向に沿って板状に設けられており、その断面形状は、先端がアールで繋がれた厚みが上下に先細る形状になっている。また、係合用突起５３に対して逆の反対側となる位置には、軸部５１の中心軸線どうしを繋ぐ中心線に対して平行関係になる小径円柱状の直線ロッド部５５が一体に設けられている。なお、係合用突起５３の突出方向は、軸部５１の中心軸線どうしを繋ぐ中心線から径方向に沿う方向に設定されて突出したものが好ましい。
【００３０】
作動体５０は、前後方向に沿った向きで、軸部５１の外方位置が受け部２４上に載せられている。この状態で、作動体５０は、支持プレート６１よりも上方側の位置になる設定となっている。そして、作動体５０の各軸部５１の内側よりの箇所がガイド部４８の第一上下溝内にそれぞれ挿通している。なお、ガイド部４８の幅としては、軸部５１の直径よりやや大きく設定されている。
【００３１】
そして、作動体５０の上記配置状態で、直線ロッド部５５は第二突起４７の延出部４６の上面に載っており、その両横位置で第一突起４４の下端部によって上方への位置規制をされている。なお、直線ロッド部５５は、右方側にあたる第二突起４７の支柱などに対しては所定隙間を有した状態となっている。言い換えると、当該保持部は、第一突起４４と第二突起４７とにより側面視では左方開口の略コの字状に構成されており、軸部５１が受け部２４上に載せられて配された作動体５０の配置状態で、直線ロッド部５５は上記略コの字状の開口部内に位置して上記コの字の底部上に載っており、かつその状態で直線ロッド部５５はコの字の右方の内壁に対して所定隙間を有した状態になっている。
【００３２】
そして、同図からも判るように、上記作動体５０の直線ロッド部５５に対する保持部での保持高さ位置は、作動体５０の中心線の高さ位置よりも上方位置となる設定になっており、このために、直線ロッド部５５とは逆の反対側となる位置に突出する係合用突起５３は左斜め下方向に向いて支持プレート６１から離れた状態となっている。
【００３３】
そして、上ケース３０には、上面の左側位置にボタン支持部３４が設けられており、そのボタン支持部３４に、上面が操作面部分としてなる押しボタン７０が回動可能に組み込まれている。押しボタン７０は、駆動用部材４０の上端に載っている。また、右方位置に設けた上方規制部７２の爪部が上ケース３０の桟部３６に係止している。これらによって、押しボタン７０は、右側が上方側に位置する傾斜状態となって、安定した停止状態を保っている。
【００３４】
なお、押しボタン７０の上ケース３０への組み込み方法は特に限定されないが、当該構成では、くの字状に曲げ形成した弾性を有する板バネ部材７５（図１などを参照）を押しボタン７０に予め装着しておき、その板バネ部材７５を介在させてボタン支持部３４上端の断面円形部を挟持する構成のものとしている。これであれば、簡素な構成で作業性よく組み立てをすることができる。
【００３５】
以上のように当該実施の形態による発電装置は構成されている。続いて動作について説明する。
【００３６】
押しボタン７０への操作がされていない図１や図５に示す通常状態では、押しボタン７０は、圧縮コイルバネ２５からの付勢力で押し上げられている駆動用部材４０上に載り、右側が上方に位置する傾斜状態で安定して停止している。そして、各軸部５１が受け部２４に載せられている作動体５０は、直線ロッド部５５が駆動用部材４０の保持部で保持されて作動体５０の中心線より上方に位置し、それの反対側となる位置に設けられた係合用突起５３は、左斜め下方に向いている。支持プレート６１は、略水平状態で維持され、その右方端部に対して少し離れた下方位置に、左斜め下方に向いている係合用突起５３は位置している。また、作動体５０の軸部５１は、中心線での水平高さ位置を含む上方部分がガイド部４８の第一上下溝内に挿通して位置している。
【００３７】
通常状態から押しボタン７０に押し下げ力を加えると、押しボタン７０は、ボタン支持部３４によって支持された箇所を中心として右側が下がる回動動作をし、それに応じて駆動用部材４０は押しボタン７０で押し下げられていく。
【００３８】
駆動用部材４０が下方に移動していくと、駆動用部材４０の保持部の高さ位置も下がっていくため、作動体５０の直線ロッド部５５も下方側に向けて移動されていく。このとき、駆動用部材４０の前後の壁には、ガイド部４８の第一上下溝が設けられ、そこに作動体５０の軸部５１を挿通させているため、駆動用部材４０は作動体５０によって規制などされることなくスムーズに下方に移動していく。
【００３９】
そして、上述したように作動体５０の直線ロッド部５５は、第二突起４７の延出部４６の上面に載せられ、またその両横位置は第一突起４４の下端によって上方への位置規制をされた状態になっている。そして、作動体５０は、受け部２４で軸部５１を支持されているため、上記保持部の下方への移動に伴って、作動体５０自身は高さ位置が変わらずに全体が回動動作をするようになる。これに応じて直線ロッド部５５は円弧軌跡で下方側に移動していくようになるが、直線ロッド部５５は、保持部を構成している第二突起４７の延出部４６の上面に載っているため、下方に下がりつつ延出部４６の上面を右方に向けてスライド移動するようになる。さらに、上記作動体５０全体の回動に応じて係合用突起５３は上方に向けて回動していき、支持プレート６１の右方端部の下面に当接状態となる。
【００４０】
引き続いて駆動用部材４０が押し下げられていくと、支持プレート６１の右方端部は係合用突起５３の回動に応じて係合用突起５３によって上方に押し上げられていく。なお、当該構成品では、作動体５０を支持プレート６１よりも少し高い位置に中心線が位置する配置のものとしているため、図６および図７に示すように、係合用突起５３が水平になった状態では支持プレート６１は若干上方に押し上げられた状態となる。なお、この状態でも、作動体５０の軸部５１は、ガイド部４８の第一上下溝内に挿通されてガイドされている。
【００４１】
さらに駆動用部材４０が下降すると、図８および図９に示したように、直線ロッド部５５もさらに下方に移動していき、係合用突起５３による支持プレート６１の押し上げ距離も大きくなっていく。ここに、支持プレート６１の押し上げ距離は、得られる電力の大きさと関係する。このため、上記押し上げ距離は所望の電力が得られるように適宜設定されている。なお、当該構成品においては、ガイド部４８内に挿通された作動体５０の軸部５１が第一上下溝内に位置している状態で、支持プレート６１の必要な押し上げ距離よりも少し高く押し上げられるように構成したものとしている。
【００４２】
その後の駆動用部材４０の下降に応じて、作動体５０の軸部５１は、ガイド部４８の斜め右方向に傾斜して伸びる直線状の傾斜溝内に至るようになる。そして、そこから作動体５０全体は駆動用部材４０の下方移動に応じてガイド部４８に沿って右方に水平に案内されるようになる。受け部２４は上方開口形状で、その平坦な底面の左右方向の長さは、上記作動体５０全体の右方への移動を踏まえた長さ設定となっており、作動体５０全体は受け部２４で支持された状態のまま回動動作しつつ水平に右側にスライド移動していく。
【００４３】
上記のように作動体５０全体が右側に移動し始めると、係合用突起５３の回動する先端位置の軌跡は、図１０中に示した点線の軌跡に変わる。つまり、同図に示したように、円弧状で右側に徐々に遠のいていく軌跡となる。このために、係合用突起５３は、押し上げている支持プレート６１の右方端部から元の軌跡よりも低い位置で外れるようにできる。なお、当該構成品は、上記の係合用突起５３が支持プレート６１から外れる位置を越えてさらに押し込める構成にしており、同図に点線で示した状態がその押し切り位置での状態を示している。なお、その外れる位置で、支持プレート６１の必要な押し上げ距離が確保されている構成となっていることは重要である。
【００４４】
このように、当該構成品では、上述形状に形成したガイド部４８内に作動体５０を挿通させてガイドさせたこと等によって、支持プレート６１の必要な押し上げ距離を確保した後に、作動体５０の係合用突起５３が右方に逃げつつ外れる構成になっている。これであれば、作動体５０全体の右側への移動がない場合に比べて、係合用突起５３が外れる高さ位置が低くなるため、上方厚みの薄型化したものにできる。また、当該構成品では、従来品での可動片などの代わりに、支持プレート６１の自由端側に作動体５０を配したものとして、その作動体５０の回動動作によって支持プレート６１を撓ませていく構成としたため、従来品の構成より下方側の厚みも薄型化が図られたものにできる。
【００４５】
係合用突起５３が支持プレート６１の右方端部から外れると、支持プレート６１は元に戻る復帰力で振動状態になる。その振動時などに、圧電素子６３が伸縮状態になり、それに応じて生じる電力が取り出し部（図示せず）から得られる。なお、振動中に得られる電力を蓄積して取り出してもよい。なお、支持プレート６１の自由端側に重り６７を装着していると振動が増幅され、得られる電力も多くなる。その振動状態は数百ｍｓｅｃ程度（例えば２００ｍｓｅｃ程度）で収束して支持プレート６１は元の水平状態に戻る。
【００４６】
その後、図１１および図１２に示したように、駆動用部材４０が下ケース２０に当接することによって駆動用部材４０の下降が停止する。なお、この駆動用部材４０の上下動をスムーズにするために、当該構成品ではバネ用突起２２、４１同士を係合させている。そして、駆動用部材４０が上記の停止位置になったときが圧縮コイルバネ２５の最も撓んだ押しボタン７０の押し切り状態となる。
【００４７】
この押し切り状態のときには、作動体５０の軸部５１はガイド部４８の傾斜溝内に位置しており、上方に直線で伸びる第二上下溝の右端面に対して所定隙間を有した状態となっている。そして、その状態で軸部５１の上部は逃げ部として設けられている第二上下溝内に位置している。また、作動体５０の軸部５１と受け部２４右側の内壁端部との間も同様に所定隙間を有した状態となっている。
【００４８】
押しボタン７０への押し下げ力を除くと、圧縮コイルバネ２５が復元して駆動用部材４０を押し上げていき、それによって各部材は上記とは逆の動作をする。
【００４９】
その復帰動作を簡単に説明すると、押し切り位置から駆動用部材４０が上昇すると、保持部に保持された直線ロッド部５５も上昇し、これに応じて作動体５０は回動する。同時に、作動体５０全体は、軸部５１がガイド部４８の傾斜溝内を第一上下溝内へと案内されていくため、左側に移動する。その後、係合用突起５３が支持プレート６１の右方端部上に当接し、今度は、図１３および図１４に示したように、係合用突起５３の回動に応じて支持プレート６１は押し下げられて撓んでいく。
【００５０】
そして、所定の角度位置で係合用突起５３が支持プレート６１から外れて、支持プレート６１の復元力で支持プレート６１が振動し発電がなされる。
【００５１】
その後、駆動用部材４０は、外方に突出形成された外方突出部４２の上面が上ケース３０の対応する天面位置に当接して停止する。また、駆動用部材４０を介して押し上げられる押しボタン７０も、上方規制部７２の爪部が上ケース３０の桟部３６に係止して元の図１などに示した操作される前の状態に戻る。
【００５２】
以上のように当該構成品は、支持プレート６１に対し、回動可能な作動体５０を配し、その支持プレート６１の自由端側を作動体５０の回動動作に応じて作動体５０が直接係合して支持プレート６１を撓めていくものとして、所定の発電がなされる構成となっている。これであれば、従来品のように支持プレート６１の下方側に大きい領域の確保が不要となる。さらに、作動体５０で支持プレート６１を上方に撓める際、駆動用部材４０のガイド部４８の形状に応じて作動体５０が支持プレート６１の自由端から離れる方向に水平にスライド移動して外れやすくした構成にしているため、支持プレート６１の上方側の領域においても薄型化でき、これらによって、厚み方向の薄型化が図られたものとして提供できる。
【００５３】
なお、当該構成品の変形事例としては、作動体５０で支持プレート６１を下方に撓める際にも、作動体５０が支持プレート６１の自由端から離れる方向にスライド移動可能な構成にすることもできる。例えば、上述したものの駆動用部材４０に代えて、ガイド部４８Ａの形状を変更した駆動用部材４０Ａ（図１５参照）を用いて構成すればよい。
【００５４】
簡単に説明すると、当該駆動用部材４０Ａは、ガイド部４８Ａが第一上下溝の下端位置も右に傾斜した傾斜溝で構成されている。この駆動用部材４０Ａに置き換えて構成したものを図１６、図１７に示す。なお、図１５〜図１７において上述構成と同じ部分には同一符号を付している。
【００５５】
同図に示したように、当該構成品では、押しボタン７０への押し下げ操作がされていない通常状態で、作動体５０の軸部５１はガイド部４８Ａの下方側の傾斜溝内に位置している。すなわち、作動体５０は支持プレート６１の自由端から離れた位置にある状態になっている。この状態から押しボタン７０を押し下げると、駆動用部材４０Ａが下方に移動していく。
【００５６】
ここに、ガイド部４８Ａの下端は傾斜溝になっているため、駆動用部材４０Ａの下降に応じて作動体５０全体は回動しつつ支持プレート６１に水平に近づくスライド動作をする。そして、作動体５０の軸部５１が第一上下溝内の位置に移動した後は上述構成品と同じ動作をして発電がなされる。
【００５７】
押しボタン７０への押し下げ力を除くと、駆動用部材４０Ａの上方への復帰に応じて支持プレート６１が係合用突起５３で押し下げられていくようになる。そして、作動体５０の軸部５１がガイド部４８Ａの第一上下溝から下端の傾斜溝内に位置するようになると、作動体５０全体は回動しつつ支持プレート６１から右側に水平に離れるスライド移動をして、その途中で係合用突起５３が支持プレート６１から外れて発電がされる。この構成であれば、作動体５０の配置高さ位置を下げたとしても支持プレート６１の下方領域を薄く構成することが可能となる。
【００５８】
なお、作動体５０の配置位置は、支持プレート６１の自由端に対して右方向の近傍位置に配する以外に、前後方向の近傍位置に配されており、それが回動して支持プレート６１の自由端に直接係合して支持プレート６１が撓ませられていく構成などとしてもよい。
【００５９】
そして、作動体５０としても駆動用部材４０、４０Ａの保持部に係合して同様な動作状態になるものであれば、上述説明した形状以外のものであってもよい。または、上述同様の動作をするのであれば、使用する作動体および駆動用部材の保持部やガイド部の形状は適宜設定したものとしてもよい。
【００６０】
そして、押しボタン７０は必要に応じて設ければよく、また、押しボタン７０を装着しないものでは、必要となる装着部位を設けることなく、簡素な外形で駆動用部材４０、４０Ａを押し下げ操作可能な構成のものとすればよい。
【００６１】
さらに、当該構成品では、駆動用部材４０、４０Ａに圧縮コイルバネ２５を組み合わせて、そのバネ力で駆動用部材４０、４０Ａを復帰させているが、これも別の部材を用いて構成してもよい。
【００６２】
さらには、上記には作動体５０が支持プレート６１の自由端側から離れるようにスライド移動可能な構成のものを例に説明したが、そのスライド移動をしない構成のものとしてもよい。その場合であっても、回動可能な作動体５０が支持プレート６１の自由端側に直接係合して、支持プレート６１が作動体５０の回動に応じて撓ませられていく構成であれば、従来品の可動片などが不要になるため従来品よりも薄型化が図られたものとして構成することができる。
【産業上の利用可能性】
【００６３】
本発明による発電装置は、薄型構成のものとして提供することができ、各種電子機器等への適用時に有用である。
【符号の説明】
【００６４】
２０  下ケース
２２、４１  バネ用突起
２４  受け部
２５  圧縮コイルバネ
３０  上ケース
３２  孔部
３４  ボタン支持部
３６  桟部
４０、４０Ａ  駆動用部材
４２  外方突出部
４４  第一突起
４６  延出部
４７  第二突起
４８、４８Ａ  ガイド部
５０  作動体
５１  軸部
５３  係合用突起
５５  直線ロッド部
６１  支持プレート
６３  圧電素子
６５、６６  固定用部材
６７  重り
７０  押しボタン
７２  上方規制部
７５  板バネ部材
【図１】
2016116246.tif 000003
【図２】
2016116246.tif 000004
【図３】
2016116246.tif 000005
【図４】
2016116246.tif 000006
【図５】
2016116246.tif 000007
【図６】
2016116246.tif 000008
【図７】
2016116246.tif 000009
【図８】
2016116246.tif 000010
【図９】
2016116246.tif 000011
【図１０】
2016116246.tif 000012
【図１１】
2016116246.tif 000013
【図１２】
2016116246.tif 000014
【図１３】
2016116246.tif 000015
【図１４】
2016116246.tif 000016
【図１５】
2016116246.tif 000017
【図１６】
2016116246.tif 000018
【図１７】
2016116246.tif 000019
【図１８】
2016116246.tif 000020